【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
撮像光学系により形成される像の光強度分布を複数の波長領域について波長領域ごとに検出する第１の撮像素子と、
前記撮像光学系の瞳の異なる領域を通過した光により形成される複数の像の光強度分布を検出する第２の撮像素子と、
前記第１の撮像素子と前記第２の撮像素子から出力される画像に基づいてデフォーカス値を算出する制御手段を有する焦点検出装置であって、
前記第１の撮像素子の画素は第１のピッチで配列されており、前記第２の撮像素子の画素は、前記第１のピッチよりも長い第２のピッチで配列されており、
前記制御手段は、前記第２の撮像素子に形成される複数の像の位相差に基づいて第１のデフォーカス値を算出し、前記第１の撮像素子から出力される画像について、前記第２のピッチに対応する空間周波数以下の空間周波数の画像を生成し、生成された画像における前記複数の波長領域の光の強度の比率とコントラストの比率の少なくとも一方に基づいて前記第１のデフォーカス値を補正することにより、第２のデフォーカス値を算出することを特徴とする焦点検出装置。
【請求項２】
前記制御手段は、前記第１の撮像素子から出力される画像についてフーリエ変換を行い、前記第２のピッチに対応する空間周波数以下の成分を抽出し、抽出された前記第２のピッチに対応する空間周波数以下の成分について逆フーリエ変換することにより、前記第２のピッチに対応する空間周波数以下の空間周波数の画像を生成することを特徴とする請求項１に記載の焦点検出装置。
【請求項３】
前記第１の撮像素子は、測光センサであることを特徴とする請求項１または２に記載の焦点検出装置。
【請求項４】
前記第１の撮像素子は、被写体を撮像する撮像素子であることを特徴とする請求項１乃至３のいずれか１項に記載の焦点検出装置。
【請求項５】
前記第２の撮像素子は、複数のラインセンサであることを特徴とする請求項１乃至４のいずれか１項に記載の焦点検出装置。
【請求項６】
請求項１乃至５のいずれか１項に記載の焦点検出装置と、前記撮像光学系を有することを特徴とする撮像装置。
【請求項７】
第１のピッチで画素が配列された第１の撮像素子を用いて、撮像光学系により形成される像の光強度分布を複数の波長領域について波長領域ごとに検出するステップと、
前記第１のピッチよりも長い第２のピッチで画素が配列された第２の撮像素子を用いて、前記撮像光学系の瞳の異なる領域を通過した光により形成される複数の像の光強度分布を検出するステップと、
前記第２の撮像素子に形成される複数の像の位相差に基づいて第１のデフォーカス値を算出するステップと、
前記第１の撮像素子から出力される画像について、前記第２のピッチに対応する空間周波数以下の空間周波数の画像を生成するステップと、
生成された画像における前記複数の波長領域の光の強度の比率とコントラストの比率の少なくとも一方に基づいて前記第１のデフォーカス値を補正することにより、第２のデフォーカス値を算出するステップと、
を含むことを特徴とする焦点検出方法。
【請求項８】
焦点検出装置のコンピュータに、
第１のピッチで画素が配列された第１の撮像素子を用いて、撮像光学系により形成される像の光強度分布を複数の波長領域について波長領域ごとに検出するステップと、
前記第１のピッチよりも長い第２のピッチで画素が配列された第２の撮像素子を用いて、前記撮像光学系の瞳の異なる領域を通過した光により形成される複数の像の光強度分布を検出するステップと、
前記第２の撮像素子に形成される複数の像の位相差に基づいて第１のデフォーカス値を算出するステップと、
前記第１の撮像素子から出力される画像について、前記第２のピッチに対応する空間周波数以下の空間周波数の画像を生成するステップと、
生成された画像における前記複数の波長領域の光の強度の比率とコントラストの比率の少なくとも一方に基づいて前記第１のデフォーカス値を補正することにより、第２のデフォーカス値を算出するステップと、
を実行させることを特徴とするプログラム。
【手続補正２】
【補正対象書類名】明細書
【補正対象項目名】００１８
【補正方法】変更
【補正の内容】
【００１８】
上記目的を達成するために、本発明に係る焦点検出装置は、撮像光学系により形成される像の光強度分布を複数の波長領域について波長領域ごとに検出する第１の撮像素子と、前記撮像光学系の瞳の異なる領域を通過した光により形成される複数の像の光強度分布を検出する第２の撮像素子と、前記第１の撮像素子と前記第２の撮像素子から出力される画像に基づいてデフォーカス値を算出する制御手段を有する焦点検出装置であって、前記第１の撮像素子の画素は第１のピッチで配列されており、前記第２の撮像素子の画素は、前記第１のピッチよりも長い第２のピッチで配列されており、前記制御手段は、前記第２の撮像素子に形成される複数の像の位相差に基づいて第１のデフォーカス値を算出し、前記第１の撮像素子から出力される画像について、前記第２のピッチに対応する空間周波数以下の空間周波数の画像を生成し、生成された画像における前記複数の波長領域の光の強度の比率とコントラストの比率の少なくとも一方に基づいて前記第１のデフォーカス値を補正することにより、第２のデフォーカス値を算出することを特徴とする。
また、本発明に係る撮像装置は、上記焦点検出装置を有することを特徴とする。
また、本発明に係る焦点検出方法は、第１のピッチで画素が配列された第１の撮像素子を用いて、撮像光学系により形成される像の光強度分布を複数の波長領域について波長領域ごとに検出するステップと、前記第１のピッチよりも長い第２のピッチで画素が配列された第２の撮像素子を用いて、前記撮像光学系の瞳の異なる領域を通過した光により形成される複数の像の光強度分布を検出するステップと、前記第２の撮像素子に形成される複数の像の位相差に基づいて第１のデフォーカス値を算出するステップと、前記第１の撮像素子から出力される画像について、前記第２のピッチに対応する空間周波数以下の空間周波数の画像を生成するステップと、生成された画像における前記複数の波長領域の光の強度の比率とコントラストの比率の少なくとも一方に基づいて前記第１のデフォーカス値を補正することにより、第２のデフォーカス値を算出するステップと、を含むことを特徴とする。
また、本発明に係るプログラムは、焦点検出装置のコンピュータに、第１のピッチで画素が配列された第１の撮像素子を用いて、撮像光学系により形成される像の光強度分布を複数の波長領域について波長領域ごとに検出するステップと、前記第１のピッチよりも長い第２のピッチで画素が配列された第２の撮像素子を用いて、前記撮像光学系の瞳の異なる領域を通過した光により形成される複数の像の光強度分布を検出するステップと、前記第２の撮像素子に形成される複数の像の位相差に基づいて第１のデフォーカス値を算出するステップと、前記第１の撮像素子から出力される画像について、前記第２のピッチに対応する空間周波数以下の空間周波数の画像を生成するステップと、生成された画像における前記複数の波長領域の光の強度の比率とコントラストの比率の少なくとも一方に基づいて前記第１のデフォーカス値を補正することにより、第２のデフォーカス値を算出するステップと、を実行させることを特徴とする。
【手続補正３】
【補正対象書類名】図面
【補正対象項目名】図５
【補正方法】変更
【補正の内容】
【図５】
2015045804.tif 000001